(57)【要約】【課題】  運搬する際に作業者によって把持される把手によって外観が損ねられることがなく、運搬し易いように画像表示装置の姿勢を変更する際に画像表示装置の落下を防止することができる画像表示装置を提供する。【解決手段】  画像表示装置１は、画像を表示する矩形状の表示面３ａを有する表示部３および表示面３ａが外部に露出するように表示部３を収容する筐体４を有する装置本体部２と、装置本体部２に対して突出および収納可能に設けられるハンドルグリップ１１とを備え、ハンドルグリップ１１は、筐体４における幅方向Ｘに延びる一対の側壁５ａのそれぞれに、高さ方向Ｙに間隔をあけて２つずつ設けられる。【選択図】      図１
2014174481.tif 000002
【特許請求の範囲】
【請求項１】
画像を表示する矩形状の表示面を有する表示部と、前記表示面が外部に露出するように前記表示部を収容する筐体であって、前記表示面を規定する一対の長辺および一対の短辺のそれぞれに沿って延設される４つの側壁を有する筐体とを含む装置本体部と、
前記装置本体部に対して突出および収納可能に設けられる４つの把手とを備え、
前記４つの把手は、互いに平行に延びる一対の側壁のそれぞれに、該側壁の延設方向に間隔を空けて２つずつ設けられることを特徴とする画像表示装置。
【請求項２】
前記４つの把手は、前記一対の側壁における前記延設方向の各端部にそれぞれ設けられていることを特徴とする請求項１に記載の画像表示装置。
【請求項３】
前記把手は、
前記装置本体部から突出した突出位置と前記装置本体部内へ収納された収納位置との間で変位可能に設けられる把手本体部と、
前記把手本体部に収容可能であって、該把手本体部に収容される収容位置と該収容位置から略９０度角変位した固定位置との間で回動可能に、該把手本体部に連結される回動部とを備えることを特徴とする請求項１または２に記載の画像表示装置。
【発明の詳細な説明】
【技術分野】
【０００１】
本発明は、運搬する際に作業者によって把持される把手を備える画像表示装置に関する。
【背景技術】
【０００２】
近年、液晶表示装置やプラズマディスプレイ装置などの画像表示装置では、画面サイズが大形のものが普及している。このような大形の画面サイズを有する画像表示装置は、その重量も大きくなるため、開梱後の画像表示装置を設置場所まで運搬するのに大変な労力を要する。そこで、最近では、このような運搬作業を補助することを目的として、作業者が、運搬作業を行う際に握ることが可能な把手を備えた画像表示装置も製品化されている。
【０００３】
図７は、把手１０２を備える従来技術に係る画像表示装置１００を示す正面図である。図７に示すように、従来技術に係る画像表示装置１００では、表示面１０１ａに画像を表示する表示部およびその表示部を内部に収容する筐体などを含む装置本体部１０１の側部から外方に突出するように、一対の把手１０２が、装置本体部１０１における左右の側壁に、それぞれ固定して設けられている。
【０００４】
したがって、作業者は、この把手１０２を握ることで、画像表示装置１００を持ち上げるために必要な力を画像表示装置１００に伝え易くなり、把手１０２が設けられていない場合に比べて、運搬作業を容易に行うことができる。また、把手１０１が左右の側壁に設けられていることで、横置き姿勢、すなわち表示面１０１ａの縦方向（図７における上下方向）が鉛直方向に一致するような姿勢での運搬作業を容易に行うことができる。
【０００５】
しかしながら、この従来技術に係る画像表示装置１００では、図７に示すように、把手１０２を装置本体部１０１の側部から外方に突出させた状態で固定して設けられているので、画像表示装置１００を正面から見たとき、把手１０２が視認され、デザイン的に好ましくないという問題がある。
【０００６】
この従来技術に係る画像表示装置１００では、把手１０２は、装置本体部１０１における筐体に対して、ビスなどの締結具を用いて締結固定されているため、把手１０２を装置本体部１０１から取り外すことで、前記のデザイン的な問題を解消することは可能ではある。
【０００７】
しかしながら、この場合、工具を用いての取り外し作業が必要となってしまい面倒である。また、このように把手１０２を取り外した場合には、画像表示装置１００の設置位置を変更する際に、再度、把手１０２を装置本体部１０１へ取り付ける必要があり、この取り付けのための作業も面倒であるという問題がある。
【０００８】
このような問題を解決する従来の技術が、たとえば特許文献１に開示されている。特許文献１に記載の技術によれば、画像表示装置の両側部に複数の係止ねじをそれぞれ突設しておき、この係止ねじに対して、切欠き溝が形成された支持板に把手を突設して成る運搬具を係合させることによって、運搬時の手持ち部としている。このように、運搬具を係止ねじに対して係合させて固定することができるので、取り付けや取り外しのための工具が不要であり、取り付けおよび取り外し作業を容易に行うことができる。
【０００９】
しかしながら、特許文献１に記載の方法では、運搬具を取り付けた画像表示装置を運搬する際に、画像表示装置の姿勢を変更しようとすると、その姿勢によっては、運搬具が係止ねじから離脱し、画像表示装置が落下してしまうおそれがある。したがって、運搬を行う際には、運搬具と係止ねじとがしっかりと係合した状態における姿勢を維持して運搬しなければならない。
【００１０】
このように、特許文献１に記載の方法では、運搬する際の画像表示装置の姿勢が限られ、運搬作業を行う環境に応じて、作業者にとって運搬し易いように画像表示装置の姿勢を変更するというようなことができず、作業者にとって利便性が良くないという問題がある。
【先行技術文献】
【特許文献】
【００１１】
【特許文献１】特開２０００−２２８５８５号公報
【発明の概要】
【発明が解決しようとする課題】
【００１２】
本発明の目的は、運搬する際に作業者によって把持される把手によって外観が損ねられることがなく、運搬し易いように画像表示装置の姿勢を変更する際に画像表示装置の落下を防止することができる画像表示装置を提供することである。
【課題を解決するための手段】
【００１３】
本発明は、画像を表示する矩形状の表示面を有する表示部と、前記表示面が外部に露出するように前記表示部を収容する筐体であって、前記表示面を規定する一対の長辺および一対の短辺のそれぞれに沿って延設される４つの側壁を有する筐体とを含む装置本体部と、
前記装置本体部に対して突出および収納可能に設けられる４つの把手とを備え、
前記４つの把手は、互いに平行に延びる一対の側壁のそれぞれに、該側壁の延設方向に間隔を空けて２つずつ設けられることを特徴とする画像表示装置である。
【００１４】
また本発明は、前記４つの把手は、前記一対の側壁における前記延設方向の各端部にそれぞれ設けられていることを特徴とする。
【００１５】
また本発明は、前記把手は、
前記装置本体部から突出した突出位置と前記装置本体部内へ収納された収納位置との間で変位可能に設けられる把手本体部と、
前記把手本体部に収容可能であって、該把手本体部に収容される収容位置と該収容位置から略９０度角変位した固定位置との間で回動可能に、該把手本体部に連結される回動部とを備えることを特徴とする。
【発明の効果】
【００１６】
本発明によれば、画像表示装置は、画像を表示する矩形状の表示面を有する表示部と、表示面が外部に露出するように表示部を収容する筐体であって、前記表示面を規定する一対の長辺および一対の短辺のそれぞれに沿って延設される４つの側壁を有する筐体とを有する装置本体部に対して突出および収納可能に設けられる４つの把手を備え、４つの把手は、互いに平行に延びる一対の前記側壁のそれぞれに、該側壁の延設方向に間隔を空けて２つずつ設けられて構成されている。したがって、画像表示装置を運搬する際には、４つの把手のそれぞれを装置本体部から突出させることで、２人の作業者がそれぞれ２つずつ把手を握って運搬することが可能となるため、画像表示装置の運搬作業を容易に行うことができる。また、画像表示装置を設置位置に設置した状態では、把手を装置本体部に収納させることによって、把手が視認されることがなくなり、画像表示装置の外観が損ねられることを防止することができる。
【００１７】
さらに、この把手は、画像表示装置から離脱してしまうことがないように、装置本体部に対して突出および収納するように設けられているので、運搬作業を行う環境に応じて、画像表示装置の姿勢を作業者にとって運搬し易いような姿勢に変更しても、画像表示装置が落下する危険性がない。したがって、作業者にとっての利便性を向上することができる。
【図面の簡単な説明】
【００１８】
【図１】本発明の第１の実施形態に係る画像表示装置１の外観を示す斜視図であり、図１（ａ）は、画像表示装置１における装置本体部２からグリップ部２１を突出させた状態を示し、図１（ｂ）は、図１（ａ）におけるＡ部を拡大して示し、図１（ｃ）は、画像表示装置１における装置本体部２内へグリップ部２１を収納した状態を示し、図１（ｄ）は、図１（ｃ）におけるＢ部を拡大して示している。
【図２】グリップ部２１を突出させた状態の手持ち部１０を拡大して示す画像表示装置１の断面図であり、図２（ａ）は、厚み方向Ｚに垂直な仮想一平面で手持ち部１０を切断したときの断面を示し、図２（ｂ）は、幅方向Ｘに垂直な仮想一平面で手持ち部１０を切断したときの断面を示している。
【図３】本実施形態に係る画像表示装置１を運搬するときの姿勢を説明するための図であり、図３（ａ）は、厚み方向Ｚを鉛直方向に略一致させたときの画像表示装置１の姿勢を示し、図３（ｂ）は、幅方向Ｘを鉛直方向に略一致させたときの画像表示装置１の姿勢を示している。
【図４】本発明の第２の実施形態に係る画像表示装置１Ａの外観を示す斜視図であり、図４（ａ）は、画像表示装置１Ａにおける装置本体部２からグリップ部２１を突出させた状態を示し、図４（ｂ）は、図４（ａ）におけるＣ部を拡大して示している。
【図５】回動部３２における他端部３２ｂを拡大して示す図であり、図５（ａ）は、他端部３２ｂに設けられるアングル３３を他端部３２ｂ内へ収容した状態を示し、図５（ｂ）は、他端部３２ｂに設けられるアングル３３を他端部３２ｂから突出させた状態を示している。
【図６】回動部３２の他端部３２ｂに設けられたアングル３３をアタッチメント４０に係合する様子を示す図である。
【図７】把手１０２を備える従来技術に係る画像表示装置１００を示す正面図である。
【発明を実施するための形態】
【００１９】
図１は、本発明の第１の実施形態に係る画像表示装置１の外観を示す斜視図であり、図１（ａ）は、画像表示装置１における装置本体部２からグリップ部２１（把手）を突出させた状態を示し、図１（ｂ）は、図１（ａ）におけるＡ部を拡大して示している。また、図１（ｃ）は、画像表示装置１における装置本体部２内へグリップ部２１を収納した状態を示し、図１（ｄ）は、図１（ｃ）におけるＢ部を拡大して示している。
【００２０】
図１に示すように、本実施形態に係る画像表示装置１は、装置本体部２と、手持ち部１０とを備えて構成されている。装置本体部２は、画像データに応じた画像を矩形状の表示面３ａに表示する表示部３と、表示面３ａが外部に露出するように、表示部３を収容する筐体４とを含んで構成されている。
【００２１】
ここで、装置本体部２において、矩形状の表示面３ａにおける４つの縁辺のうち、長辺の延びる方向を幅方向Ｘ、および、短辺の延びる方向を高さ方向Ｙとし、幅方向Ｘおよび高さ方向Ｙのいずれにも垂直な方向を厚み方向Ｚとする。
【００２２】
装置本体部２は、液晶ディスプレイ装置、プラズマディスプレイ装置、および有機ＥＬ（Electroluminescence）ディスプレイ装置などのフラットパネルディスプレイ装置によって実現される。本実施形態では、装置本体部２は、液晶ディスプレイ装置によって実現されており、表示部３は、矩形板状の液晶表示パネル、および該液晶表示パネルに対して背面側から光を照射するバックライトユニットなどを含んで構成されている。
【００２３】
手持ち部１０は、標準的な人間の手で握ることができるような太さで、棒状に形成されたグリップ部２１（把手）を備え、このグリップ部２１を、装置本体部２に対して突出および収納することができるように構成されている。すなわち、手持ち部１０は、グリップ部２１を、筐体４の外部へ突出させた状態（図１（ａ），（ｂ））と、筐体４の内部へ収納した状態（図１（ｃ），（ｄ））とを切り換えることができるように構成されている。
【００２４】
なお、グリップ部２１は、それを利用して装置本体部２を持ち上げたときに、装置本体部２を支持し得るのに充分な剛性を有するように、その寸法および材質などが選択されており、たとえば円柱状または角柱状に形成されている。
【００２５】
本実施形態に係る画像表示装置１では、図１に示すように、表示面３ａに対向する側から見たときの装置本体部２における４つの隅部６に対して、手持ち部１０がそれぞれ設けられている。
【００２６】
各手持ち部１０は、具体的には、グリップ部２１が、その軸線方向と高さ方向Ｙとが一致するような姿勢で、筐体４に設けられた開口７を介して高さ方向Ｙに進退することで、装置本体部２に対して突没するように設けられている。筐体４は、４つの側壁を有しており、そのうちの幅方向Ｘに延びる一対の側壁５ａにおける、４つの隅部６に対応する箇所、すなわち幅方向Ｘの端部に、グリップ部２１が高さ方向Ｙに挿通可能な開口７がそれぞれ形成されている。
【００２７】
以下、手持ち部１０の詳細な構造について、図２を参照して説明する。図２は、グリップ部２１を突出させた状態の手持ち部１０を拡大して示す画像表示装置１の断面図であり、図２（ａ）は、厚み方向Ｚに垂直な仮想一平面で手持ち部１０を切断したときの断面（図２（ｂ）における切断面線Ａ−Ａから見た断面）を示し、図２（ｂ）は、幅方向Ｘに垂直な仮想一平面で手持ち部１０を切断したときの断面（図２（ａ）における切断面線Ｂ−Ｂから見た断面）を示している。
【００２８】
手持ち部１０は、サポートアングル１１と、一対のガイドアングル１２と、前述のグリップ部２１を有するハンドルグリップ１３とを含んで構成されている。サポートアングル１１は、筐体４の内部に固定して設けられ、一対のガイドアングル１３を支持する機能を有する。
【００２９】
一対のガイドアングル１２は、サポートアングル１１に固定して設けられ、互いに協働して、ハンドルグリップ１３を高さ方向Ｙに沿って変位可能に案内する機能を有する。各ガイドアングル１２は、互いに同一に構成されており、ハンドルグリップ１３に設けられる後述のストッパ部２２を挿込み可能な長孔１４が形成されている。本実施形態では、長孔１４は、四角筒状の内周面１２ａによって規定され、ガイドアングル１２は、四角筒状に形成されている。
【００３０】
一対のガイドアングル１２は、この長孔１４の長手方向が高さ方向Ｙに一致し、また、幅方向Ｘから見たときにそれぞれの長孔１４が重なり合うように、幅方向Ｘに予め定める間隔を空けて設置されている。この予め定める間隔は、グリップ部２１の幅方向Ｘにおける寸法よりも僅かに大きくなるように設定されている。
【００３１】
ハンドルグリップ１３は、グリップ部２１と、グリップ部２１の軸線方向の一端部２１ａに、該軸線方向に垂直な方向に突出するように設けられる一対のストッパ部２２とを含んで構成されている。
【００３２】
各ストッパ部２２は、グリップ部２１から互いに逆方向に突出するように設けられており、ガイドアングル１２に形成される長孔１４に挿し込んだときに、長孔１４を規定する内周面１２ａとの間に、厚み方向Ｚにおいて、僅かな間隙が形成されるような大きさに形成されている。本実施形態では、ストッパ部２２は、図２に示すように、角柱状に形成されている。
【００３３】
ハンドルグリップ１３は、グリップ部２１の軸線方向が高さ方向Ｙに一致し、一端部２１ａが他端部２１ｂよりも装置本体部２の内方に配置されるようにして、各ストッパ部２２を一対のガイドアングル１２における各長孔１４にそれぞれ挿し込むことによって、その一対のガイドアングル１２により保持される。
【００３４】
このように、ハンドルグリップ１３は、一対のストッパ部２２が一対のガイドアングル１２によって案内されながら、高さ方向Ｙに沿って変位するように設けられており、手持ち部１０は、このハンドルグリップ１３の変位に伴って、グリップ部２１が、側壁５ａに形成された開口７を介して、装置本体部２から突出および収納するように構成されている。
【００３５】
ここで、各手持ち部１０において、高さ方向Ｙの一方であって、グリップ部２１における一端部２１ａから他端部２１ｂへ向かう方向を前進方向Ｙ１とし、他端部２１ｂから一端部２１ａへ向かう方向を後退方向Ｙ２とする。
【００３６】
また、ストッパ部２２とガイドアングル１２における前進方向Ｙ１の側壁１２ｂとが接触することによって、ハンドルグリップ１３の前進方向Ｙ１への変位が規制されるときのハンドルグリップ１３の位置を突出位置と称し、ストッパ部２２とガイドアングル１２における後退方向Ｙ２の側壁１２ｃとが接触することによって、ハンドルグリップ１３の後退方向Ｙ２への移動が規制されるときのハンドルグリップ１３の位置を収納位置と称することとする。
【００３７】
グリップ部２１の軸線方向の長さ寸法は、ハンドルグリップ１３が突出位置に配置されたときに、グリップ部２１の装置本体部２からの突出量が、人間の手で握るのに充分な長さとなるように設定されている。また、ガイドアングル１２における長孔１４の長手方向の寸法は、ハンドルグリップ１３が収納位置に配置されたときに、グリップ部２１の他端部２１ｂにおける先端と側壁５ａとが面一となるように設定されている。
【００３８】
なお、図示しないが、一対のガイドアングル１２およびハンドルグリップ１３は、ハンドルグリップ１３が突出位置および収納位置に配置されたときに、ハンドルグリップ１３が不所望に高さ方向Ｙに移動しないように、ハンドルグリップ１３を固定しておくことができる固定構造を有しているものとする。このような固定構造としては、たとえば、ストッパ部２２およびガイドアングル１２のいずれか一方に半球状の突起を設け、いずれか他方にその突起が嵌合可能な凹所を設けることによって実現されてもよい。
【００３９】
また、図示しないが、収納位置に配置されたハンドルグリップ１３を装置本体部２から引き出すための構造が設けられているものとし、このような構造としては、たとえば、グリップ部２１の他端部２１ｂにおける先端に、指を引っ掛けることができる引掛け部を設けることによって実現されてもよい。
【００４０】
以上のように、本実施形態によれば、ハンドルグリップ１３のグリップ部２１が、一対の側壁５ａのそれぞれに２つずつ、装置本体部２に対して突出および収納可能に設けられているので、画像表示装置１を運搬する際には、グリップ部２１を装置本体部２から突出させることで、２人の作業者がそれぞれ２つずつそのグリップ部２１を握って運搬することが可能となるため、画像表示装置１の運搬作業を容易に行うことができる。また、画像表示装置１を設置位置に設置した状態では、グリップ部２１を装置本体部２の内部へ収納することによって、グリップ部２１を外部から視認できないようにすることができるので、これにより、画像表示装置１の外観が損ねられることを防止することができる。
【００４１】
また、グリップ部２１は、装置本体部２における４つの隅部６にそれぞれ設けられているので、これら４つのグリップ部２１を把持することによって、画像表示装置１を安定した姿勢で持ち上げることができる。
【００４２】
また、図２に示すように、ハンドルグリップ１３が突出位置に配置された状態では、ストッパ部２２が、ガイドアングル１２の内周面１２ａによって３方向から包囲されているので、手持ち部１０は、その３方向の荷重に対して耐え得る構造となっている。
【００４３】
図３は、本実施形態に係る画像表示装置１を運搬するときの姿勢を説明するための図であり、図３（ａ）は、厚み方向Ｚを鉛直方向に略一致させたときの画像表示装置１の姿勢を示し、図３（ｂ）は、幅方向Ｘを鉛直方向に略一致させたときの画像表示装置１の姿勢を示している。
【００４４】
本実施形態によれば、ハンドルグリップ１３が、突出位置よりも前進方向Ｙ１に変位しないように、ガイドアングル１３によって抜け止めされて固定されるので、グリップ部２１を把持して画像表示装置１を運搬している際に、運搬作業を行う環境に応じて、画像表示装置１の姿勢を作業者にとって運搬し易いような姿勢、たとえば図３（ａ）に示す姿勢や図３（ｂ）に示す姿勢に変更しても、画像表示装置１が床面に落下してしまう危険性がない。このように、あらゆる姿勢で画像表示装置１を持ち上げることができるので、運搬作業を行う作業者にとっての利便性を向上することができる。
【００４５】
図４は、本発明の第２の実施形態に係る画像表示装置１Ａの外観を示す斜視図であり、図４（ａ）は、画像表示装置１Ａにおける装置本体部２からグリップ部２１を突出させた状態を示し、図４（ｂ）は、図４（ａ）におけるＣ部を拡大して示している。
【００４６】
本実施形態に係る画像表示装置１Ａは、手持ち部１０Ａの構造、特にグリップ部２１Ａの構造が、第１の実施形態に係る画像表示装置１におけるグリップ部２１と異なって構成されており、他の構造については、同様に構成されているため、同一の参照符を付して重複する説明を省略する。
【００４７】
本実施形態では、図４に示すように、グリップ部２１Ａが、一対のガイドアングル１２によって高さ方向Ｙに沿って変位可能に案内される本体部３１と、本体部３１に対して回動可能に連結される棒状の回動部３２とによって構成されている。
【００４８】
本体部３１は、図４（ｂ）に示すように、幅方向Ｘに間隔を空けて配置される一対の板状部を備えて構成されている。回動部３２は、本体部３１における前記一対の板状部の間に挟まれるようにして設けられ、その長手方向の一端部３２ａが、本体部３１における前進方向Ｙ１の端部３１ａに対して、幅方向Ｘに延びる軸線Ｊまわりに回動可能に連結されている。
【００４９】
詳細には、回動部３２は、一端部３２ａから他端部３２ｂにわたって本体部３１における前記一対の板状部の間に配置される収容位置と、前記収容位置から画像表示装置１Ａの背面側に向かって軸線Ｊまわりに略９０度角変位した固定位置との間で回動可能に設けられている。
【００５０】
回動部３２は、収容位置に配置されることによって、一対の板状部の間に収容可能であり、グリップ部２１Ａは、回動部３２を本体部３１に収容した状態で、装置本体部２に対して突出および収納させることが可能となっている。
【００５１】
また、本体部３１は、図示しないが、回動部３２が収容位置から正面側への回動を規制する構造を有しているとともに、回動部３２が固定位置を越えて回動すること規制するための構造を有して構成されている。したがって、本実施形態に係る画像表示装置１Ａでは、回動部３２を固定位置に配置し、その回動部３２を把持することによって、高さ方向Ｙを鉛直方向に略一致させたときの姿勢で、画像表示装置１を持ち上げることが容易となる。
【００５２】
図５は、回動部３２における他端部３２ｂを拡大して示す図であり、図５（ａ）は、他端部３２ｂに設けられるアングル３３を他端部３２ｂ内へ収容した状態を示し、図５（ｂ）は、他端部３２ｂに設けられるアングル３３を他端部３２ｂから突出させた状態を示している。
【００５３】
本実施形態では、回動部３２の他端部３２ｂには、図５に示すように、その軸線方向に沿って、他端部３２ｂの先端部に対して突出および収納可能にアングル３３が設けられている。このアングル３３は、手動操作により、前記先端部から突出させ、あるいは、他端部３２ｂ内に収納させることができるように設けられている。このアングル３３は、画像表示装置１Ａを、壁面などに設けられた後述するアタッチメント４０や、画像表示装置設置用のスタンドに対して仮掛けするために設けられている。
【００５４】
図６は、回動部３２の他端部３２ｂに設けられたアングル３３をアタッチメント４０に係合する様子を示す図である。
【００５５】
本実施形態に係る画像表示装置１Ａは、図６に示すように回動部３２に設けられたアングル３３を、他端部３３ｂから突出させて、壁面などに設けられたアタッチメント４０に係合することができるように構成されている。このように、アングル３３をアタッチメント４０に係合することによって、画像表示装置１Ａを仮掛けすることができる。
【００５６】
ここで、仮掛けとは、画像表示装置１Ａを壁面やスタンドに取り付ける準備を行うために、画像表示装置１Ａを、壁面に設けられたアタッチメント４０やスタンドに対して一時的に保持させることである。
【００５７】
本実施形態に係る画像表示装置１Ａは、平坦な場所がない場合や、床面に載置すると装置本体部２を損傷してしまうおそれがある場合などのように、そのまま床面に載置することができないような状況下であっても、前記のように仮掛けすることができるように構成されているので、装置本体部２を床面に載置することなく、設置の準備、具体的には、壁面やスタンドに設けられた金具の微調整、および装置本体部２の背面に設けられた取付金具の微調整などを行うことができる。
【符号の説明】
【００５８】
１  画像表示装置
２  装置本体部
３  表示部
４  筐体
１０  手持ち部
１１  ハンドルグリップ
【図１】
2014174481.tif 000003
【図２】
2014174481.tif 000004
【図３】
2014174481.tif 000005
【図４】
2014174481.tif 000006
【図５】
2014174481.tif 000007
【図６】
2014174481.tif 000008
【図７】
2014174481.tif 000009